(57)【特許請求の範囲】
【請求項１】
ディスク媒体再生装置のデータアプリケーションの提供方法において、
（ａ）前記データアプリケーションの場面に対する場面構成情報を獲得する段階と、
（ｂ）前記場面構成情報に基づいて前記場面を構成する２つ以上のコンポーネントを獲得する段階と、
（ｃ）前記場面構成情報および前記２つ以上のコンポーネントに基づいて前記データアプリケーションを提供する段階と、
を含み、
前記場面構成情報は、前記ディスク媒体再生装置の識別情報および前記ディスク媒体再生装置を使う使用者の識別情報中、少なくとも一つに基づいて選択される場面に対する場面構成を定義し、
前記場面構成情報は、前記２つ以上のコンポーネントの配置を定義するレイアウト情報を含み、
前記（ｃ）段階は、
（ｃ−１）前記レイアウト情報に基づいて前記場面に対するレイアウトを構成する段階と、
（ｃ−２）前記レイアウトに従って前記２つ以上のコンポーネントを各々ディスプレイする段階と、
を含み、
前記（ｃ−２）段階は、前記２つ以上のコンポーネントのうち１つのコンポーネントを受信後ディスプレイした後に別のコンポーネントを受信後ディスプレイするように、受信した順序に従って各コンポーネントを順次ディスプレイする段階を含むことを特徴とするデータアプリケーションの提供方法。
【請求項２】
前記（ａ）段階は前記ディスク媒体再生装置に挿入されるディスク媒体を読み取って前記場面構成情報を獲得する段階を含むことを特徴とする請求項１に記載のデータアプリケーションの提供方法。
【請求項３】
前記（ａ）段階は前記ディスク媒体再生装置内に保存された前記場面構成情報を獲得する段階を含むことを特徴とする請求項１に記載のデータアプリケーションの提供方法。
【請求項４】
前記（ａ）段階は通信網を通じて前記場面構成情報を受信する段階を含むことを特徴とする請求項１に記載のデータアプリケーションの提供方法。
【請求項５】
前記（ａ）段階は前記ディスク媒体再生装置と連結された保存装置から前記場面構成情報を獲得する段階を含むことを特徴とする請求項１に記載のデータアプリケーションの提供方法。
【請求項６】
前記場面構成情報は前記場面構成情報を解釈するための実行コードを含むことを特徴とする請求項１に記載のデータアプリケーションの提供方法。
【請求項７】
前記場面構成情報は前記場面に対するテキストデータを含むことを特徴とする請求項１に記載のデータアプリケーションの提供方法。
【請求項８】
前記一つ以上のコンポーネント各々は、独立的に実行可能な実行コード、テキストデータ、イメージデータ、オーディオデータおよび動画データ中、少なくとも一つを含むことを特徴とする請求項１に記載のデータアプリケーションの提供方法。
【請求項９】
前記場面構成情報は前記一つ以上のコンポーネント各々に対する位置情報を含むものであって、
前記（ｂ）段階は前記位置情報に基づいて前記一つ以上のコンポーネントを獲得する段階、
を含むことを特徴とする請求項１に記載のデータアプリケーションの提供方法。
【請求項１０】
前記位置情報中、少なくとも一つ以上はダウンロード位置情報を含み、
前記（ｂ）段階は、
（ｂ−１）前記一つ以上のコンポーネントを提供する装置に前記一つ以上のコンポーネントに対する伝送要請を送信する段階と、
（ｂ−２）前記ダウンロード位置情報によって前記装置から前記一つ以上のコンポーネント各々を受信する段階と、
を含むことを特徴とする請求項９に記載のデータアプリケーションの提供方法。
【請求項１１】
前記伝送要請は前記ディスク媒体再生装置の識別情報および前記ディスク媒体再生装置を使う使用者の識別情報のいずれか一つを含むことを特徴とする請求項１０に記載のデータアプリケーションの提供方法。
【発明の詳細な説明】
【技術分野】
【０００１】
本発明はディスク媒体再生装置のデータアプリケーションの提供方法に関し、より具体的にはディスク媒体再生装置がデータアプリケーションをロードして実行するのに必要な時間と提供可能なデータアプリケーションの大きさに対する制限を最小化し、ディスク媒体再生装置の識別情報または使用者の識別情報に基づいて個人化したデータアプリケーションを提供しうるディスク媒体再生装置のデータアプリケーションの提供方法に関する。
【背景技術】
【０００２】
一般的に光ディスク(Ｏｐｉｃａｌ  Ｄｉｓｋ)は、デジタル符号に変換された音声や画像などの情報を光ディスクの表面にレーザー光線を利用して記録する。光ディスクに保存された情報を読み取る場合、光ディスクの表面に弱いレーザービームを入射させ、光ディスクの表面から反射されるレーザービームの強弱を認知して記録された情報を読み取る。
一般的な光ディスク保存媒体としてはＣＤ（Ｃｏｍｐａｃｔ  Ｄｉｓｋ）、ＤＶＤ(Ｄｉｇｉｔａｌ  Ｖｅｒｓａｔｉｌｅ  Ｄｉｓｋ)、ＬＤ（Ｌａｓｅｒ  Ｄｉｓｋ）等がある。
【０００３】
しかし、高画質(Ｈｉ−Ｄｅｆｉｎｉｔｉｏｎ、ＨＤ)放送が普及されることに応じて一般的な光ディスク保存媒体よりさらに多い量のデータを記録しうる次世代光ディスク保存媒体規格に対する開発が進行しつつある。
次世代光ディスク保存媒体規格としてはＨＤ−ＤＶＤ、ブルーレイディスク(Ｂｌｕ−Ｒａｙ Ｄｉｓｋ)等がある。
【０００４】
ＨＤ−ＤＶＤは波長が６５０ｎｍである赤色レーザーを使用するＤＶＤに比べて波長が４０５ｎｍである青紫色レーザーを使用するためＤＶＤより多い量のデータを保存することができる。具体的には、シングル レイヤーＨＤ−ＤＶＤの場合、１５ＧＢのデータを保存することができ、デュアルレイヤーＨＤ−ＤＶＤの場合、３０ＧＢのデータを保存することができる。
【０００５】
ブルーレイディスクはＨＤ−ＤＶＤと同様に波長が４０５ｎｍである青紫色レーザーを使用するが、ＨＤ−ＤＶＤより多い量のデータを保存することができる。具体的には、シングルレイヤーブルーレイディスクの場合、２５ＧＢのデータを保存することができ、デュアルレイヤーブルーレイディスクの場合、５０ＧＢのデータを保存することができる。なお、クワッドレイヤー(４層)ブルーレイディスクとオクタルレイヤー(８層)ブルーレイディスクは記録容量を１００ＧＢ〜２００ＧＢまで拡張させることができる。
ＨＤ−ＤＶＤおよびブルーレイディスクのような次世代光ディスク保存媒体によって使用者は高画質の映像を容易に観賞することができ、多量のデータを記録することができる。
【０００６】
以下、本明細書において「ディスク媒体」とはＣＤ、ＤＶＤ、ＬＤのような光ディスク保存媒体のみならずブルーレイディスク、ＨＤ−ＤＶＤなどの次世代保存媒体とすることができる。また、「ディスク媒体」に保存されたデータを再生する装置は「ディスク媒体再生装置」とすることができる。
【０００７】
ディスク媒体再生装置のデータアプリケーションサービスを提供するためにＨＤｉ(Ｈｉｇｈ  Ｄｅｆｉｎｉｔｉｏｎ  ｉｎｔｅｒａｃｔｉｖｅ)またはＢＤ−Ｊ規格に対する開発が進行しつつある。
【０００８】
ＨＤｉはＨＤ−ＤＶＤを支援するディスク媒体再生装置のデータアプリケーションサービスを支援する標準規格であり、ＢＤ−Ｊ規格はブルーレイディスクを支援するディスク媒体再生装置のデータアプリケーションサービスを支援する標準規格である。
【０００９】
しかし、従来のディスク媒体再生装置のデータアプリケーションサービスを提供するには次のような問題がある。
【００１０】
第一に、ディスク媒体再生装置による問題点である。
最近ディスク媒体再生装置が高級化しつつあるが、ディスク媒体再生装置で処理しうるデータアプリケーションの大きさには限界がある。即ち、データアプリケーションの大きさが大きすぎる場合、メモリーの大きさやＣＰＵなどの処理速度などのようなディスク媒体再生装置の資源の限界によってデータアプリケーションを実行することができない。
【００１１】
第二に、データアプリケーションを実行するのに所要する時間の問題点である。
ディスク媒体再生装置はデータアプリケーションをロードして信号処理を行って実行する。よって、大きさが大きいデータアプリケーションを実行する場合、ローディングおよび信号処理を行うのに所要する時間が長くなる。
【００１２】
第三に、制限された周波数帯域によって発生する問題点である。
具体的には、ディスク媒体再生装置は別途のデータアプリケーション提供サーバーとの通信連結を通じてデータアプリケーションを受信して提供する。即ち、ディスク媒体再生装置は制限された周波数帯域を有する放送網を通じてデータアプリケーション提供サーバーと通信を行うため、使用可能な帯域幅内で伝送できるようデータアプリケーションの構成や場面を最小化しなければならない。
【００１３】
よって、データアプリケーションは帯域幅によって使用しうるアプリケーションの個数と構成が制限されるため、使用者に対する個人化したデータアプリケーションを提供することができない。
【発明の概要】
【発明が解決しようとする課題】
【００１４】
本発明の目的は、ディスク媒体再生装置がデータアプリケーションをロードして実行するのに必要な時間と提供可能なデータアプリケーションの大きさに対する制限を最小化し、ディスク媒体再生装置の識別情報または使用者の識別情報に基づいて個人化したデータアプリケーションを提供しうるディスク媒体再生装置のデータアプリケーションの提供方法を提供することにある。
【課題を解決するための手段】
【００１６】
本発明は、ディスク媒体再生装置のデータアプリケーションの提供方法において、(ａ)前記データアプリケーションの場面に対する場面構成情報を獲得する段階と、(ｂ)前記場面構成情報に基づいて前記場面を構成する一つ以上のコンポーネントを獲得する段階と、(ｃ)前記場面構成情報および前記一つ以上のコンポーネントに基づいて前記データアプリケーションを提供する段階と、を含むことを特徴とする。
【００１７】
本発明による前記(ａ)段階は前記ディスク媒体再生装置に挿入されるディスク媒体を読み取って前記場面構成情報を獲得する段階を含むことが望ましい。
【００１８】
また、本発明による前記(ａ)段階は前記ディスク媒体再生装置内に保存された前記場面構成情報を獲得する段階を含むことが望ましい。
【００１９】
なお、本発明による前記(ａ)段階は通信網を通じて前記場面構成情報を受信する段階を含むことが望ましい。
【００２０】
また、本発明による前記(ａ)段階は前記ディスク媒体再生装置と連結された保存装置から前記場面構成情報を獲得する段階を含むことが望ましい。
【００２１】
本発明による前記場面構成情報は使用者入力、前記ディスク媒体再生装置の識別情報および前記ディスク媒体再生装置を使う使用者の識別情報中、少なくとも一つに基づいて選択される場面に対する場面構成を定義することが望ましい。
【００２２】
また、本発明による前記場面構成情報は前記場面構成情報を解釈するための実行コードを含むことが望ましく、前記場面構成情報は前記場面に対するテキストデータを含むことが望ましい。
【００２３】
本発明による前記一つ以上のコンポーネント各々は、独立的に実行可能な実行コード、テキストデータ、イメージデータ、オーディオデータおよび動画データ中、少なくとも一つを含むことが望ましい。
【００２４】
本発明による前記場面構成情報は前記一つ以上のコンポーネント各々に対する位置情報を含むものであって、前記(ｂ)段階は前記位置情報に基づいて前記するが以上のコンポーネントを獲得する段階を含むことが望ましい。
【００２５】
本発明による前記位置情報中、少なくとも一つ以上はダウンロード位置情報を含み、前記(ｂ)段階は、(ｂ−１)前記一つ以上のコンポーネントを提供する装置に前記一つ以上のコンポーネントに対する伝送要請を送信する段階と、(ｂ−２)前記ダウンロード位置情報によって前記装置から前記一つ以上のコンポーネント各々を受信する段階と、を含むことが望ましい。
【００２６】
本発明による前記伝送要請は前記ディスク媒体再生装置の識別情報および前記ディスク媒体再生装置を使う使用者の識別情報の中の一つを含むことが望ましい。
【００２７】
本発明による前記(ｃ)段階は、(ｃ−１)前記場面構成情報に基づいて前記場面に対するレイアウトを構成する段階と、（ｃ−２)前記レイアウトによって前記一つ以上のコンポーネントをディスプレイする段階と、を含むことが望ましい。
【００２８】
また、本発明による前記(ｃ−２)段階は前記一つ以上のコンポーネントを受信した順序に前記レイアウトによってディスプレイする段階を含むことが望ましい。
【発明の効果】
【００３０】
本発明によると、ディスク媒体再生装置でデータアプリケーションをロードおよび実行するのに必要な時間を最小化し、提供可能なデータアプリケーションの大きさに対する制限を最小化し、ディスク媒体再生装置または使用者情報に基づいて個人化したデータアプリケーションを提供することができる。
【図面の簡単な説明】
【００３１】
【図１】本発明によるディスク媒体再生装置のデータアプリケーションの提供方法の実施例を示したフローチャートである。
【図２】本発明によるディスク媒体再生装置のデータアプリケーションの提供方法において場面の例を示した図である。
【図３】本発明によるディスク媒体再生装置のデータアプリケーションの提供方法においてコンポーネントを獲得する段階の例示的なフローチャートである。
【図４】本発明によるディスク媒体再生装置のデータアプリケーションの提供方法においてデータアプリケーションを提供する段階を示したフローチャートである。
【図５】本発明によるディスク媒体再生装置のデータアプリケーションの提供方法において場面に対するレイアウトを示した図である。
【発明を実施するための形態】
【００３２】
以下、本発明のディスク媒体再生装置のデータアプリケーションの提供方法の実施例を添付図面を参照してより具体的に説明する。
【００３３】
図１は、データアプリケーションを実行して提供するディスク媒体再生装置で行われる本発明によるディスク媒体再生装置のデータアプリケーションの提供方法を示したフローチャートである。
【００３４】
図１を参照すると、データアプリケーションの場面に対する場面構成情報を獲得する(Ｓ１１０)。
【００３５】
従来技術によると、ディスク媒体再生装置はデータアプリケーション全体を読み取った後、読み取られたデータアプリケーションを実行する。反面、本発明によると、ディスク媒体再生装置は場面構成情報のみを獲得する。
【００３６】
一実施例によると、場面構成情報はディスク媒体から獲得されることが可能である。
【００３７】
ディスク媒体内に保存されるコンテンツの製造社は前記コンテンツ関連の場面構成情報を前記コンテンツとともにディスク媒体を通じて提供することができる。
【００３８】
ディスク媒体再生装置に場面構成情報を含むディスク媒体が挿入されると、ディスク媒体再生装置はディスク媒体を読み取って場面構成情報を獲得する。
【００３９】
他の実施例によると、場面構成情報はディスク媒体再生装置内に保存されることが可能である。
【００４０】
ディスク媒体再生装置の製造社は場面構成情報の保存されたディスク媒体再生装置を提供することができる。
【００４１】
ディスク媒体再生装置内に場面構成情報が保存された場合、場面構成情報はディスク媒体再生装置から獲得されることが可能である。
【００４２】
更に他の実施例によると、場面構成情報は通信網を通じて受信されることが可能である。
【００４３】
場面構成情報は場面構成情報を提供する装置との通信を通じて獲得されることが可能である。
【００４４】
例えば、ディスク媒体内に保存されるコンテンツの製造社またはディスク媒体再生装置の製造社が運営する装置から通信網を通じてデータアプリケーションの場面構成情報を獲得することができる。
【００４５】
更に他の実施例によると、場面構成情報はディスク媒体再生装置と連結された保存装置から獲得されることが可能である。例えば、場面構成情報が保存されているＵＳＢスティックのような保存装置がディスク媒体再生装置に連結されると、場面構成情報は前記保存装置から獲得されることが可能である。
【００４６】
場面構成情報に対してより詳細に説明すると次のようである。
【００４７】
図２は本発明によるディスク媒体再生装置のデータアプリケーションの提供方法において場面の例を示した図である。
【００４８】
図２を参照するとデータアプリケーションは一つ以上の場面(１１０ａ〜ないし１１０ｍ)で構成される。
【００４９】
ディスク媒体再生装置がデータアプリケーションを使用者に提供する場合、使用者は使用者入力を通じて一つ以上の場面(１１０ａ〜１１０ｍ)中いずれか一つを選択することができ、ディスク媒体再生装置は選択された場面を使用者に提供する。
【００５０】
例えば、場面１１０ａは、ディスク媒体再生装置がデータアプリケーションを実行する場合、使用者に提供される初期場面であってもよい。また、場面１１０ｂは、使用者がリモコンを通じて特定ボタンを押す場合、使用者に提供される場面であってもよい。
【００５１】
また、個人化したデータアプリケーションが提供される場合、場面１１０ａは第１使用者グループに提供される場面であり、場面１１０ｂは第２使用者グループに提供される場面であってもよい。
【００５２】
個人化したデータアプリケーションを提供する場合、ディスク媒体再生装置はディスク媒体再生装置の識別情報または使用者の識別情報などに基づいて一つ以上の場面(１１０ａ〜１１０ｍ)中、いずれか一つを選択し、選択された場面を使用者に提供する。
【００５３】
場面(１１０ａ〜１１０ｍ)各々は一つ以上のコンポーネント(図示せず)で構成される。
【００５４】
例えば、場面１１０ｂに株式市況についての情報が示されると、場面１１０ｂは韓国株価指数をテキスト形態で提供する第１コンポーネント、韓国株式市場に上場した特定会社の株価情報を提供する第２コンポーネント、株式市場関連の動画を提供する第３コンポーネントおよび米国株式市場についての情報をテキストまたは動画形態で提供する第４コンポーネントのような複数のコンポーネントを含むことができる。
【００５５】
場面構成情報は場面(１１０ａ〜１１０ｍ)各々を構成する一つ以上のコンポーネント各々に対するコンポーネント情報を含むことができる。
【００５６】
コンポーネント情報は各コンポーネントの名称および／または識別情報を含むことができる。また、コンポーネント情報はディスク媒体再生装置がコンポーネントを受信するのに必要なコンポーネントの獲得位置情報を含むことができる。
【００５７】
コンポーネントがディスク媒体に保存されている場合、獲得位置情報はコンポーネントが保存されたディスク媒体内の経路に対する情報を提供する。コンポーネントが外部の装置に保存されている場合、獲得位置情報は前記装置と前記装置内に保存されたコンポーネントのダウンロード位置に対する情報を提供する。
【００５８】
場面構成情報は場面に対するレイアウト情報を含むことができる。レイアウト情報は各コンポーネントがいかなる方式で場面内で配置されるかに対する情報である。例えば、場面１１０ａが第１コンポーネント、第２コンポーネントで構成されると、場面１１０ａに対する場面構成情報は第１コンポーネントの識別情報、第１コンポーネントに対するダウンロード位置情報、第１コンポーネントに対するレイアウト情報、第２コンポーネントの識別情報、第２コンポーネントに対するダウンロード位置情報および第２コンポーネントに対するレイアウト情報を含むことができる。
【００５９】
第１コンポーネントに対する獲得位置情報と第２コンポーネントに対する獲得位置情報とは異なることが可能である。例えば、第１コンポーネントはディスク媒体から読み取られることが可能であり、第２コンポーネントは第２コンポーネントを提供する装置から受信されることが可能である。
【００６０】
また、Ｓ１１０段階でディスク媒体再生装置は特定場面に対する場面構成情報を獲得することも可能であり、場面全体に対する場面構成情報を獲得することもできる。
【００６１】
図２を参照すると、ディスク媒体再生装置は場面１１０ａに対する場面構成情報のみをまず獲得し、必要に応じて場面１１０ｂに対する場面構成情報を追加的に獲得することもできる。
【００６２】
例えば、使用者が場面１１０ａを希望する場合、ディスク媒体再生装置は場面１１０ａに対する場面構成情報を獲得することができ、使用者が追加的に場面１１０ｍを希望する場合、ディスク媒体再生装置は場面１１０ｍに対する場面構成情報を獲得することができる。
【００６３】
本発明によると、ディスク媒体再生装置は場面構成情報に含まれたコンポーネント情報およびレイアウト情報を抽出してこれを解釈する。
【００６４】
本発明によると、ディスク媒体再生装置はコンポーネント情報とレイアウト情報を場面構成情報から抽出して解釈する。
【００６５】
コンポーネント情報とレイアウト情報を解釈するために、即ち、場面構成情報は実行コードを必要とする。
【００６６】
ディスク媒体再生装置は場面構成情報を解釈するために実行コードを使用する。実行コードはディスク媒体再生装置に保存されることが可能である。
【００６７】
実行コードがディスク媒体再生装置ではなく場面構成情報に含まれる場合、ディスク媒体再生装置は実行コードを実行して場面構成情報を解釈することができる。
【００６８】
実行コードは放送プログラムを提供するのに必要な信号処理およびデータアプリケーションを実行するのに必要な信号処理のためのプログラムと独立的に実行されることが可能である。
【００６９】
また、場面構成情報は場面に対するテキストデータを含むことができる。
【００７０】
テキストデータは場面に対する説明とともに場面に示すテキストに対するデータである。
【００７１】
また図１を参照すると、場面構成情報に基づいて場面を構成する一つ以上のコンポーネントを獲得する(Ｓ１３０)。
【００７２】
ディスク媒体再生装置は位置情報に基づいて一つ以上のコンポーネント各々を獲得することができる。
【００７３】
図３は本発明による場面を構成する一つ以上のコンポーネントを獲得する段階(Ｓ１３０)を示したフローチャートである。
【００７４】
図３を参照すると、位置情報を分析する(Ｓ１３１)。
【００７５】
次に、Ｓ１３１段階で分析した位置情報に基づいて通信する必要があるかを判断する(Ｓ１３３)。
【００７６】
通信する必要がない場合、即ち、一つ以上のコンポーネント中少なくとも一つがディスク媒体に保存されている場合、ディスク媒体再生装置は前記コンポーネントをディスク媒体から読み取ってコンポーネントを獲得する(Ｓ１３４)。
【００７７】
通信する必要がある場合、即ち、一つ以上のコンポーネント中少なくとも一つが外部のコンポーネントを提供する装置に保存されている場合、ディスク媒体再生装置はコンポーネントを提供する装置と通信してコンポーネントを受信する。
【００７８】
具体的には、ディスク媒体再生装置はダウンロード位置情報を参照してコンポーネントを提供する装置に一つ以上のコンポーネントに対する伝送要請を送信する(Ｓ１３５)。
前記伝送要請はディスク媒体再生装置の識別情報またはディスク媒体再生装置の使用者識別情報を含むことができる。
【００７９】
ディスク媒体再生装置の識別情報またはディスク媒体再生装置の使用者の識別情報は個人化したデータアプリケーション提供のために使われることが可能である。
【００８０】
コンポーネントを提供する装置は受信機の識別情報または使用者の識別情報に基づいて受信機に伝送するコンポーネントを選択して選択したコンポーネントを受信機に伝送する。
【００８１】
次に、ダウンロード位置情報を参照してコンポーネントを提供する装置から一つ以上のコンポーネントを受信する(Ｓ１３６)。
【００８３】
一つ以上のコンポーネント各々に対するダウンロード位置情報は同一であってもよいが相違であってもよい。
【００８４】
例えば、受信機が第１コンポーネントと第２コンポーネントを受信する場合、第１コンポーネントは第１コンポーネントを提供する装置から受信され、第２コンポーネントは第２コンポーネントを提供する装置から受信されることが可能である。
【００８５】
図２の場面１１０ｂに株式市況についての情報が示されると、場面１１０ｂは韓国株価指数をテキスト形態で提供する第１コンポーネント、韓国株式市場に上場した特定会社の株価情報を提供する第２コンポーネント、株式市場関連の動画を提供する第３コンポーネントおよび米国株式市場についての情報をテキストまたは動画形態で提供する第４コンポーネントのような多数のコンポーネントを含むことができる。
【００８６】
具体的には、第１コンポーネントはテキストデータを含むことができる。第２コンポーネントは会社選択のための使用者入力を受信する実行コード、株価情報をグラフで示すための実行コード、グラフイメージデータを含むことができる。第３コンポーネントは動画データを含むことができる。第４コンポーネントはテキストデータまたは動画データを含むことができる。第２コンポーネントに含まれる実行コードはデータアプリケーション全体に対して実行されるコードではなく該当の場面内で独立的に実行可能な実行コードであってもよい。
【００８７】
また図１を参照すると、次に場面構成情報および一つ以上のコンポーネントに基づいてデータアプリケーションを提供する(Ｓ１５０)。
【００８８】
図４は本発明によるデータアプリケーションを提供する段階(Ｓ１５０)を示したフローチャートである。
【００８９】
図４を参照すると、場面構成情報に含まれたレイアウト情報に基づいて場面に対するレイアウトを構成する(Ｓ１５３)。
【００９０】
次に、Ｓ１５３段階で構成したレイアウトによって一つ以上のコンポーネントをディスプレイする(Ｓ１５６)。
【００９１】
一つ以上のコンポーネントは受信される順序によって順次にディスプレイされることも可能である。
【００９２】
例えば、第１コンポーネントが受信されると、レイアウト情報を参照して第１コンポーネントをディスプレイし、その後第２コンポーネントが受信されると、レイアウト情報を参照して第２コンポーネントをディスプレイすることができる。
【００９３】
図５は本発明による場面に対するレイアウトの一例を示した図である。
【００９４】
図５を参照すると、データアプリケーションの場面はデジタル放送のディスプレイ装置(図示せず)の画面１５０にディスプレイされる。
【００９５】
場面はコンポーネント(１７０ａ〜１７０ｅ)で構成される。
場面構成情報に含まれたレイアウト情報は画面１５０上で各コンポーネント(１７０ａ〜１７０ｅ)が配置される位置に対する情報を含む。
【００９６】
レイアウト情報に基づいて場面に対するレイアウトが構成され、レイアウトによって各コンポーネント(１７０ａ〜１７０ｅ)が配置される。
【００９７】
以下では、図５のコンポーネント１７０ｅが広告動画である場合の例をあげて個人化したデータアプリケーション提供について詳細に説明する。
【００９８】
コンポーネント提供装置は使用者に適合した広告を提供するために予め保存された多数の広告動画中でディスク媒体再生装置の識別情報または使用者の識別情報に基づいて広告動画を選択した後、選択した広告動画をコンポーネント１７０ｅとして指定してディスク媒体再生装置に伝送する。
【００９９】
コンポーネント１７０ｅを受信したディスク媒体再生装置はレイアウトによって画面上に広告動画をディスプレイする。ディスク媒体再生装置の識別情報または使用者の識別情報に基づいて広告動画が選択されるため、個人化したデータアプリケーションの提供が可能である。
【０１００】
本発明によると、ディスク媒体再生装置でデータアプリケーションをロード及び実行するのに必要な時間を最小化し、提供可能なデータアプリケーションの大きさに対する制限を最小化し、ディスク媒体再生装置または使用者情報に基づいて個人化したデータアプリケーションを提供することができる。
【０１０３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１０４】
以上説明した通り、本発明によるとディスク媒体再生装置でデータアプリケーションをロードして実行するのに必要な時間と提供可能なデータアプリケーションの大きさに対する制限を最小化し、ディスク媒体再生装置の識別情報または使用者の識別情報に基づいて個人化したデータアプリケーションを提供することができる。
【符号の説明】
【０１０５】
１１０    場面
１５０    画面
１７０    コンポーネント
【図１】
0005537541.tif 000002
【図２】
0005537541.tif 000003
【図３】
0005537541.tif 000004
【図４】
0005537541.tif 000005
【図５】
0005537541.tif 000006